(57)【要約】  【課題】  施工を完了して使用している排水桝に求める機能が、例えば排水の種類の変更により、変更する必要が生じた場合にも、安価かつ迅速に排水桝を構成する内部金物の変更を行うことができる排水桝を提供する。  【解決手段】  コンクリート３を打設されて設置される本体４により構成される集水孔５を有する排水桝１である。本体４の内面に、本体４の内部に配置されて集められた排水６に対する作用が異なる三種の内部金物２ａ〜２ｃを脱着自在に搭載することができるフランジである出張り部９を備える。出張り部９が、内部金物２ａ〜２ｃとの間を気密し、内部金物２ａ〜２ｃを貫通する蝶ネジ１１と噛み合う袋ナット１２を有する。【選択図】      図１
2006112185.tif 000002
【特許請求の範囲】
【請求項１】
周囲にコンクリートを打設されて設置される中空の本体により構成される集水孔を有する排水桝であって、該本体の内面に、該本体の内部に配置される内部金物を脱着自在に搭載することができる出張り部を備えることを特徴とする排水桝。
【請求項２】
打設されたコンクリートにより構成される集水孔を有する排水桝であって、該集水孔を構成するコンクリートに、該集水孔に配置される内部金物を脱着自在に搭載することができる出張り部を備えることを特徴とする排水桝。
【請求項３】
前記出張り部は、搭載する前記内部金物との間を気密する請求項１又は請求項２に記載された排水桝。
【請求項４】
前記出張り部は、搭載する前記内部金物を貫通する蝶ネジと噛み合う雄ネジ部を有する請求項１から請求項３までのいずれか１項に記載された排水桝。
【請求項５】
前記出張り部は、前記集水孔の内部へ向けて突設されたフランジである請求項１から請求項４までのいずれか１項に記載された排水桝。
【請求項６】
前記内部金物は、集められた排水に対する作用が異なる少なくとも二種の内部金物である請求項１から請求項５までのいずれか１項に記載された排水桝。
【請求項７】
前記少なくとも二種の内部金物は、排水金網、トラップ金物又はカムロックジョイント付金物から選ばれた二種又は三種である請求項６に記載された排水桝。
【請求項８】
周囲にコンクリートを打設されて設置される中空の本体により構成される集水孔を有する排水桝の当該本体の内面、又は、打設されたコンクリートにより構成される集水孔を有する排水桝の当該集水孔を構成するコンクリートに設けられた出張り部に脱着自在に搭載して固定された一の内部金物を取り外した後に、該出張り部に他の内部金物を脱着自在に搭載して固定することを特徴とする排水桝の内部金物の交換方法。
【発明の詳細な説明】
【技術分野】
【０００１】
本発明は、排水桝及びその内部金物の交換方法に関し、具体的には、周囲にコンクリートを打設されて設置される中空の本体により構成される集水孔を有する排水桝、又は、打設されたコンクリートにより構成される集水孔を有する排水桝であって、内部金物の変更を簡単、迅速さらには殆どコストの上昇を伴わずに行うことができる排水桝及びその内部金物の交換方法に関する。
【背景技術】
【０００２】
特許文献１や特許文献２に開示されるように、工場や建物等の床部には、発生する排液を集めて外部へ排出するための排水桝が設置されている。床部に設置される排水桝は、一般的に、中空円筒状の本体と、この本体の内部に固定された排水金網、トラップ金物又はカムロックジョイント付金物等の内部金物とを有しており、本体と内部金物とが一体に構成される。
【０００３】
排水桝は、工場や建物の新築時に、床部の所定の位置に固定されて排水管に接続された状態で、周囲にコンクリートを打設されて、設置される。
【特許文献１】特開昭５０−１０８３６８号公報
【特許文献２】特開２００４−７６３３３号公報
【発明の開示】
【発明が解決しようとする課題】
【０００４】
しかし、従来の排水桝には以下に列記する課題があった。
（ｉ）コンクリートの打設を完了して使用されている排水桝に求める機能を、例えば排水の種類の変更により、変更する必要が生じた場合、例えば、設置された排水金網を、トラップ金物やカムロックジョイント付金物等の排水金物以外の内部金物へ変更しようとすると、排水桝の本体の周囲に打設されたコンクリートを一旦解体することによって排水桝を取り除き、新たな排水桝を配置してからその周囲にコンクリートを施工する必要があった。このために、相当な手間及び費用が発生する。
【０００５】
（ｉｉ）工場等の建設工事において設置する各種製造プロセス機器の配置やその詳細、さらには排水系の条件は、建設工事の初期には一応決定されてはいるものの未確定であり、建設工事の進捗に応じて初期に決定されていた条件からは変更されて決定されることがある。このため、建設工事の初期に決定されていた条件に基づいて工場等の床部に排水桝を埋設しても、その後の設計変更により、埋設した排水桝を交換する必要が生じる。このため、上記（ｉ）項と全く同様の理由により、相当な手間及び費用が発生する。
【０００６】
（ｉｉｉ）従来の排水桝では、中空円筒状の本体の内部に、排水金網、トラップ金物又はカムロックジョイント付金物等の内部金物が固定されていたため、排水桝の清掃やメンテナンスを行い難く、排水桝の機能を長期間にわたって安定して維持することが難しくかった。
【課題を解決するための手段】
【０００７】
本発明は、周囲にコンクリートを打設されて設置される中空の本体により構成される集水孔を有する排水桝であって、この本体の内面に、この本体の内部に配置される内部金物を脱着自在に搭載することができる出張り部を備えることを特徴とする排水桝である。
【０００８】
別の観点からは、本発明は、打設されたコンクリートにより構成される集水孔を有する排水桝であって、この集水孔を構成するコンクリートに、この集水孔に配置される内部金物を脱着自在に搭載することができる出張り部を備えることを特徴とする排水桝である。
【０００９】
さらに別の観点からは、本発明は、周囲にコンクリートを打設されて設置される中空の本体により構成される集水孔を有する排水桝の本体の内面、又は、打設されたコンクリートにより構成される集水孔を有する排水桝のこの集水孔を構成するコンクリート、に設けられた出張り部に脱着自在に搭載して固定された一の内部金物を取り外した後に、この出張り部に他の内部金物を脱着自在に搭載して固定することを特徴とする排水桝の内部金物の交換方法である。
【００１０】
これらの本発明に係る排水桝、又は排水桝の内部金物の交換方法では、出張り部が、（ｉ）搭載する内部金物との間を気密すること、（ｉｉ）搭載する内部金物を貫通する蝶ネジと噛み合う雄ネジ部を有すること、又は（ｉｉｉ）集水孔の内部へ向けて突設されたフランジであることが望ましい。
【００１１】
これらの本発明に係る排水桝、又は排水桝の内部金物の交換方法では、内部金物が、集められた排水に対する作用が異なる少なくとも二種の内部金物であることが、排水桝の機能を変更する要求に柔軟に対応することができるため、望ましい。この場合に、少なくとも二種の内部金物が、排水金網、トラップ金物又はカムロックジョイント付金物から選ばれた二種又は三種であることが例示される。
【発明の効果】
【００１２】
本発明により、施工を完了して使用している排水桝に求める機能を、例えば排水の種類の変更により、変更する必要が生じた場合にも、安価かつ迅速に排水桝を構成する内部金物の変更を行うことができる。内部金物としては、排水金網、トラップ金物又はカムロックジョイント付金物、トラップ式、カムロックジョイント式、ゴミ取アミ付等の多種のバリエーションに対して適用可能である。
【００１３】
また、本発明により、排水桝の清掃やメンテナンスを行い易くなり、排水桝の機能を長期間にわたって安定して維持することができる。
さらに、本発明に係る排水桝は、一般に市販されているＨＡＣＣＰ対応式の排水桝よりも安価に製作できる。
【発明を実施するための最良の形態】
【００１４】
（第１の実施の形態）
本発明に係る排水桝及びその内部金物の交換方法を実施するための最良の形態を、添付図面を参照しながら説明する。
【００１５】
図１は、本実施の形態の排水桝１及びその内部金物２ａ〜２ｃの交換方法を示す説明図であり、排水桝１の全景と、３種の内部金物２ａ〜２ｃ及びこれらを排水桝１に取り付けた場合のＡ−Ａ断面とを、あわせて示す。なお、以降の説明では、本実施の形態の排水桝１を、食品工場の建屋のコンクリート製の床３に設けられた排水桝装着孔３ａに取り付けられた場合を例にとる。
【００１６】
本実施の形態の排水桝１は、中空の本体４により構成される集水孔５を有する。集水孔５は、床３の最低部に設けられた排水桝装着孔３ａに位置するため、床３に存在する排水６（図１では白抜き矢印により模式的に示す）がこの集水孔５に流入する。集水孔５の底面は排出孔４ａへ向けて傾斜して構成されているため、排水６は、底部が本体４の最低部に設けられた排出孔４ａに導かれ、この排出孔４ａを介して、床３に埋設された枝管７から排水本管８に送られて排水される。
【００１７】
このように、排水桝１は、その周囲に床３をなすコンクリートを打設されて設置される中空の本体４により構成される集水孔５を有している。
この排水桝１は、本体４の内面４ｂに、本体４の内部空間に配置される内部金物２ａ〜２ｃを脱着自在に搭載することができる出張り部９を備えている。
【００１８】
この出張り部９は、搭載する内部金物２ａ〜２ｃと当接することによって当接部との間を気密するものである。このような出張り部９として、本実施の形態では、集水孔５の内部へ向けて突設されたフランジを用いたが、フランジに限定されるものではなく、フランジ以外の出張り部であって、搭載する内部金物２ａ〜２ｃと当接することによって内部金物２ａ〜２ｃを搭載できるものであれば、等しく適用できる。フランジである環状の出張り部９は、本体４の内面４ｂに、溶接等の適宜手段によって、固定されている。
【００１９】
環状の出張り部９には、９０度ピッチで後述する蝶ネジ１１が貫通する径の４つの貫通孔１０が穿設されており、出張り部９の底面には、これらの貫通孔１０と同心上に蝶ネジ１１と噛合する雌ネジ部を有する袋ナット１２が、溶接されて固定されている。本実施の形態では、袋ナット１２を出張り部９の底面に設けることにより、内部金物２ａ〜２ｃとのシール面をなす上面の平滑性を維持するため、環状の出張り部９のシール性を十分に維持することができる。
【００２０】
本実施の形態では、内部金物２ａ〜２ｃは、集められた排水６に対する作用が異なる少なくとも二種の内部金物として、トラップ金物２ａ、排水金網２ｂ、及びカムロックジョイント付金物２ｃを用いた。そこで、これらの内部金物２ａ〜２ｃについて説明する。
【００２１】
［トラップ金物２ａ］
トラップ金物２ａは、出張り部９と略同じ外径を有するとともに９０度ピッチで蝶ネジ１１が貫通する径の４つの貫通孔１３が穿設されたフランジ部１４を有する。このフランジ部１４の下方には、４つの接続部１５を介して、底部が閉じられた筒状の第２のトラップ体１６が懸垂された状態で取付けられる。また、第２のトラップ体１６の内部には、同心上に、底部が開口した筒状の第１のトラップ体１７が、フランジ部１４の下方に、取り付けられる。第１のトラップ体１７の内部には、金網体１８が装着される。
【００２２】
図１の右上図に示すように、トラップ金物２ａは、その４つの貫通孔１３が出張り部９の４つの貫通孔１０に一致するようにして、そのフランジ部１４を出張り部９の上面に載置し、４本の蝶ネジ１１を貫通させて４つの袋ナット１２にねじ込むことにより、フランジ部１４の底面が出張り部９の上面に気密性を維持した状態で当接する。
【００２３】
そして、図１の右上図に矢印で示すように、排水６が排水桝１に流入してくると、排水６は、金網体１８を通過し、第１のトラップ体１７の底部の開口を介して第２のトラップ体１６の内部へ導かれ、第２のトラップ体１６の上部開口から本体４の内部空間に導かれ、本体４の最低部に設けられた排出孔４ａを介して、床３に埋設された枝管７から排水本管８に送られて排水される。
【００２４】
排水６は、このように、トラップ金物２ａを通過することにより、径の大きな汚濁粒子が除去される。また、封水も確保される。
［排水金網２ｂ］
排水金網２ｂは、出張り部９と略同じ外径を有するとともに９０度ピッチで蝶ネジ１１が貫通する径の４つの貫通孔２０が穿設されたフランジ部１９を有する。このフランジ部１９の底面には、底部が閉じられた筒状の金網２１が取付けられる。
【００２５】
図１の右中図に示すように、排水金網２ｂは、その４つの貫通孔２０が出張り部９の４つの貫通孔１０に一致するようにして、そのフランジ部１９を出張り部９の上面に載置し、４本の蝶ネジ１１を貫通させて４つの袋ナット１２にねじ込むことにより、フランジ部１９の底面が出張り部９の上面に気密性を維持した状態で当接する。
【００２６】
そして、図１の右中図に矢印で示すように、排水６が排水桝１に流入してくると、排水６は、金網２１を通過して本体４の内部空間に導かれ、本体４の最低部に設けられた排出孔４ａを介して、床３に埋設された枝管７から排水本管８に送られて排水される。
【００２７】
排水６は、このように、排水金網２ｂを通過することにより、径の小さな汚濁粒子までも除去される。
［カムロックジョイント付金物２ｃ］
カムロックジョイント付金物２ｃは、出張り部９と略同じ外径を有するとともに９０度ピッチで蝶ネジ１１が貫通する径の４つの貫通孔２３が穿設された円板２２を有する。この円板２２の上面には、３つのカムロックジョイント２４が配置される。
【００２８】
図１の右下図に示すように、カムロックジョイント付金物２ｃは、その４つの貫通孔２３が出張り部９の４つの貫通孔１０に一致するようにして、その円板２２を出張り部９の上面に載置し、４本の蝶ネジ１１を貫通させて４つの袋ナット１２にねじ込むことにより、円板２２の底面が出張り部９の上面に気密性を維持した状態で当接する。
【００２９】
そして、図１の右下図に矢印で示すように、工場内に配置された設備や機械から排出された排水６は、この設備や機械の排水系（図示しない）に接続された圧送ホースを介して、３つのカムロックジョイント２４に供給され、３つのカムロックジョイント２４を通過して本体４の内部空間に導かれ、本体４の最低部に設けられた排出孔４ａを介して、床３に埋設された枝管７から排水本管８に送られて排水される。
【００３０】
排水６は、このように、カムロックジョイント付金物２ｃを通過することにより、建屋内の雰囲気から隔離された状態で排出される。
なお、本実施の形態の排水桝１では、内部金物２ａ〜２ｃの底部に勾配を設けるとともに角部にＲを設けることにより、ＨＡＣＣＰ（Ｈａｚａｒｄ  Ａｎａｌｉｓｙｓ  Ｃｒｉｔｉｃａｌ  Ｃｏｎｔｏｒｏｌ  Ｐｏｉｎｔ；危害要因を分析して重要管理点をモニタリングすることによって食品の安全性を確保するシステム）への対応を容易にする構造とすることもできる。
【００３１】
本実施の形態の排水桝１は、以上のように構成される。次に、この排水桝１を構成する内部金物２ａ〜２ｃを、同種又は異種の内部金物に交換する場合を説明する。
図１に示すようにして設けられた内部金物２ａ〜２ｃは、出張り部９との気密性が十分に維持された状態で排水６を通過させることができるため、排水６の臭気等を確実に遮断しながら排水することができるが、継続して長時間使用すると不可避的に、内部金物２ａ〜２ｃが目詰まりしたり、腐食等により損傷が発生するため、内部金物２ａ〜２ｃを交換する必要が生じる。
【００３２】
本実施の形態では、４本の蝶ネジ１１を緩めることにより、内部金物２ａ〜２ｃと出張り部９との締結状態を解消することができるため、交換する必要がある内部金物２ａ〜２ｃを取り外し、同種の新たな内部金物２ａ〜２ｃやメンテナンスを終了した内部金物２ａ〜２ｃを、その４つの貫通孔１３、２０又は２３が出張り部９の４つの貫通孔１０に一致するようにして、出張り部９の上面に載置し、４本の蝶ネジ１１を貫通させて４つの袋ナット１２にねじ込めば、簡易かつ迅速に、同種の内部金物２ａ〜２ｃに交換することができる。もちろん、コンクリート３の解体等は一切不要である。
【００３３】
このように、本実施の形態の排水桝１によれば、本体４と、内部金物２ａ〜２ｃとを別部品として脱着自在に構成したため、排水桝を構成する内部金物２ａ〜２ｃの清掃やメンテナンスを簡単、迅速かつ確実に行うことができるようになり、排水桝１の機能を長期間にわたって安定して維持することができる。
【００３４】
また、上述したように、（ｉ）コンクリート３の打設を完了して使用されている排水桝１に求める機能が、例えば排水６の種類の変更により、変更する必要が生じた場合、例えば、設置された排水金網２ｂを、トラップ金物２ａやカムロックジョイント付金物２ｃへ変更しようとする場合や、（ｉｉ）工場等の建設工事の初期に決定されていた条件に基づいて床部３に排水桝１を埋設した後の設計変更により、埋設した排水桝１を交換する必要が生じた場合においても、上述したように、本実施の形態の排水桝１では、４本の蝶ネジ１１を緩めて排水金網２ｂと出張り部９との締結状態を解消することにより排水金網２ｂを取り外し、トラップ金物２ａやカムロックジョイント付金物２ｃを、その４つの貫通孔１３又は２３が出張り部９の４つの貫通孔１０に一致するようにして、出張り部９の上面に載置し、４本の蝶ネジ１１を貫通させて４つの袋ナット１２にねじ込めば、簡易かつ迅速に、トラップ金物２ａやカムロックジョイント付金物２ｃに交換することができる。
【００３５】
このように、本実施の形態によれば、上記（ｉ）項や（ｉｉ）項の場合にも、排水桝１の本体４の周囲に打設されたコンクリート３を解体する必要は全くなく、排水桝１の機能変更を迅速に行うことができる。このため、本実施の形態によれば、排水桝１の機能変更を、極めて迅速かつ低コストで実現することができる。
【００３６】
（第２の実施の形態）
次に、第２の実施の形態を説明する。なお、以降の説明では、上述した第１の実施の形態と相違する部分を説明し、共通する部分の説明は省略する。
【００３７】
本実施の形態が上述した第１の実施の形態と相違するのは、排水桝１の本体４を省略し、打設されたコンクリート３に本体４の機能を担わせた点である。
すなわち、本実施の形態の排水桝は、打設されたコンクリートにより構成される集水孔を有しており、第１の実施の形態における本体４を有さない。そして、集水孔を構成するコンクリートに、集水孔に配置される内部金物を脱着自在に搭載することができる出張り部を設けている。出張り部は、接着や締結等の適宜手段により、打設されたコンクリートに固定される。
【００３８】
この本実施の形態の排水桝によっても、上述した第１の実施の形態の排水桝と同様の作用効果を奏することができる。
【図面の簡単な説明】
【００３９】
【図１】実施の形態の排水桝及びその内部金物の交換方法を示す説明図であり、排水桝の全景と、３種の内部金物及びこれらを排水桝に取り付けた場合のＡ−Ａ断面とを、あわせて示す。
【符号の説明】
【００４０】
１  排水桝
２ａ〜２ｃ  内部金物
２ａ  トラップ金物
２ｂ  排水金網
２ｃ  カムロックジョイント付金物
３  床
３ａ  排水桝装着孔
４  本体
４ａ  排出孔
４ｂ  内面
５  集水孔
６  排水
７  枝管
８  排水本管
９  出張り部
１０  貫通孔
１１  蝶ネジ
１２  袋ナット
１３  貫通孔
１４  フランジ部
１５  接続部
１６  第２のトラップ体
１７  第１のトラップ体
１８  金網体
１９  フランジ部
２０  貫通孔
２１  金網
２２  円板
２３  貫通孔
２４  カムロックジョイント
【図１】
2006112185.tif 000003